(57)【要約】  【課題】  第１筐体と第２筐体が折畳み可能な通信端末装置において、筐体を開いた場合と折畳んだ場合のいずれにおいても、広帯域な特性をもったアンテナ特性を有するものを提供する。  【解決手段】  ヒンジ部を介して折畳み可能な上、下の筐体２、３と、下筐体３に設けたアンテナ５とを備える折畳み式通信端末装置において、アンテナ５は、下筐体３のヒンジ部と接する上部側の端面３Ａに沿って設けるとともに、アンテナを具備していない上筐体２に導体を備え、上、下の筐体２、３を開いたときにアンテナ５と高周波的に結合してアンテナとして動作し、電磁波を送受信する第２のプリント基板３１を備える。【選択図】  図２
2006054566.tif 000002
【特許請求の範囲】
【請求項１】
第１筐体と第２筐体とをヒンジ部で連結して開閉自在な機構を有する折り畳み式通信端末装置であって、
前記第１筐体と前記第２筐体のいずれか一方に設けたアンテナと、
前記第１筐体と前記第２筐体のうちアンテナを具備していない筐体に導体とを備え、
前記アンテナは、前記いずれか一方の筐体の前記ヒンジ部と接する一面の縁部に沿って設けてあるとともに、
前記第１筐体と前記第２筐体を開いたときに、前記アンテナと前記導体は高周波的に結合し電磁波を送受信することを特徴とした折畳み式通信端末装置。
【請求項２】
第１筐体と第２筐体とをヒンジ部で連結して開閉自在な機構を有する折り畳み式通信端末装置であって、
前記第１筐体と前記第２筐体のいずれか一方に設けたアンテナと、
前記第１筐体と前記第２筐体のうちアンテナを具備していない筐体に導体とを備え、
前記アンテナは、前記いずれか一方の筐体の前記ヒンジ部と接する一面とは反対側の面の縁部に沿って設けてあるとともに、
第１筐体と第２筐体を折畳んだときに、前記アンテナと前記導体は高周波的に結合し電磁波を送受信することを特徴とした折畳み式通信端末装置。
【請求項３】
第１筐体と第２筐体とをヒンジ部で連結して開閉自在な機構を有する折り畳み式通信端末装置であって、
前記ヒンジ部に設けたアンテナと、
前記第１筐体と前記第２筐体のうちアンテナを具備していない筐体に導体とを備え、
前記アンテナは、前記ヒンジ部の長手方向に沿って設けてあるとともに、
前記第一筐体と前記第２筐体を開いたとき又は折畳んだときに、前記アンテナと前記導体が高周波的に結合し電磁波を送受信することを特徴とした折畳み式通信端末装置。
【請求項４】
第１筐体と第２筐体とをヒンジ部で連結して開閉自在な機構を有する折り畳み式通信端末装置であって、
前記第１筐体に第１アンテナと、
前記第２筐体に第２アンテナと、
前記第１筐体内部に前記第１アンテナと給電部を介して電気的に接続する無線部とを備え、
前記第１アンテナは前記第１筐体の前記ヒンジ部と接する一面に沿って設け、
前記第２アンテナは、前記第１筐体と前記第２筐体を開いたときに前記第１アンテナと高周波的に結合する大きさを有することを特徴とした折畳み式通信端末装置。
【請求項５】
第１筐体と第２筐体とをヒンジ部で連結して開閉自在な機構を有する折り畳み式通信端末装置であって、
前記第１筐体に第１アンテナと、
前記第２筐体に第２アンテナと、
前記第１筐体内部に前記第１アンテナと給電部を介して電気的に接続する無線部とを備え、
前記第１アンテナは、前記第１筐体の前記ヒンジ部と接する一面に沿って設け、
前記第２アンテナは、前記第１筐体と前記第２筐体を折畳んだときに前記第１アンテナと高周波的に結合する大きさを有することを特徴とした第１アンテナ折畳み式通信端末装置。
【発明の詳細な説明】
【技術分野】
【０００１】
本発明は、折畳み可能な携帯電話機などの折畳み式通信端末装置に関するものである。
【背景技術】
【０００２】
図１４に従来の折畳み式通信端末装置の一例を示す。この折畳み式通信端末装置は、第１筐体１０１と、第２筐体１０２と、これら第１、第２筐体１０１、１０２を折畳み可能に連結するヒンジ部１０３などを備えている。また、この折畳み式通信端末装置は、図１４（Ａ）に示すように、第１筐体１０１にアンテナ１０４を具備したタイプのものや、図１４（Ｂ）に示すように、第２筐体１０２にアンテナ１０４を具備したタイプのものなどが一般的である。
【０００３】
また、この折畳み式通信端末装置に用いるアンテナには各種タイプのものが知られている。例えば、引出し式ホイップアンテナは、周波数帯域が比較的広帯域な特性であるが、引き出した際のアンテナが邪魔である。また、ヘリカルアンテナは、狭帯域である上、アンテナの突出もあるため、携帯性に優れない。一方、優れた携帯性を保つため、逆Ｆアンテナ等の内蔵型アンテナなども知られているが、これもまた狭帯域である。
【０００４】
そこで、このような不都合を解決するために、図１５に示すように、送受信回路を有する無線部１０５を具備した第２筐体１０２から、給電線１０６を介して第１筐体１０１に内蔵された板状エレメント１０７に給電し、この板状エレメント１０７をアンテナとして動作させる通信端末装置も開発されている（例えば特許文献１参照）。
【特許文献１】特開２００１−１３６２５５号公報（第５頁、第１図）
【発明の開示】
【発明が解決しようとする課題】
【０００５】
ところで、特許文献１に記載のアンテナを備えた通信端末装置にあっては、第１筐体１０１に内蔵された板状エレメント１０７に給電すると、第２筐体１０２をアンテナグランドとしたモノポールアンテナとして動作する。その結果、第１、第２筐体１０１、１０２を開いた場合は広帯域な特性となるが、第１、第２筐体１０１、１０２を折畳んだ場合は、アンテナ（板状エレメント１０７）に流れる高周波電流とアンテナグランド（第２筐体１０２）に流れる高周波電流のベクトルどうしが相殺し合うため、アンテナとして動作しない。
【０００６】
本発明は、上記事情に鑑みてなされたもので、第１、第２筐体を開いたときでも折畳んだときでも、良好なアンテナ特性を発揮することができる折畳み式通信端末装置を提供することを目的とする。
【課題を解決するための手段】
【０００７】
本発明の通信端末装置は、ヒンジ部を介して折畳み可能な第１筐体および第２筐体と、この第１筐体と第２筐体のうちいずれか一方の筐体に設けたアンテナとを備える折畳み式通信端末装置において、前記アンテナは、前記いずれか一方の筐体のヒンジ部と接する一面に沿って設けてあるとともに、第１筐体と第２筐体のうちアンテナを具備していない筐体に導体を備え、その第１筐体と第２筐体を開いたときに前記アンテナと前記導体が高周波的に結合し電磁波を送受信することを特徴としている。
この構成により、第１筐体と第２筐体を折畳んだ場合は、無線部より給電されたアンテナが動作する。一方、第１筐体と第２筐体を開いた場合は、アンテナを具備していない筐体内の導体、例えばプリント基板がそのアンテナにより励振されてアンテナとして動作する。これにより、第１筐体と第２筐体を開いた場合でも折畳んだ場合でも、良好なアンテナ特性を保った通信端末装置を提供できる。
【０００８】
また、本発明の通信端末装置は、ヒンジ部を介して折畳み可能な第１筐体および第２筐体と、この第１筐体と第２筐体のうちいずれか一方の筐体に設けたアンテナとを備える折畳み式通信端末装置において、前記アンテナは、前記いずれか一方の筐体の前記ヒンジ部と接する一面とは反対側の面の縁部に沿って設けてあるとともに、前記第１筐体と第２筐体のうちアンテナを具備していない筐体に導体を備え、第１筐体と第２筐体を折畳んだときに前記アンテナと前記導体が高周波的に結合し電磁波を送受信することを特徴としている。
この構成により、第１筐体と第２筐体を開いた場合は、無線部より給電された第１アンテナが動作する。一方、第１筐体と第２筐体を折畳んだ場合は、アンテナを具備していない筐体内の導体、例えばプリント基板がアンテナにより励振されてアンテナとして動作する。これにより、第１筐体と第２筐体を開いた場合でも折畳んだ場合でも、良好なアンテナ特性を保った通信端末装置を提供できる。
【０００９】
また、本発明の通信端末装置は、ヒンジ部を介して折畳み可能な第１筐体および第２筐体と、前記ヒンジ部に設けたアンテナとを備える折畳み式通信端末装置において、前記アンテナは、前記ヒンジ部の長手方向に沿って設けてあるとともに、前記第１筐体と第２筐体のうちアンテナを具備していない筐体に導体を備え、その第１筐体と第２筐体を開いたとき又は折畳んだときに前記アンテナと前記導体が高周波的に結合し電磁波を送受信することを特徴としている。この構成により、第１筐体と第２筐体を開いた場合でも折畳んだ場合でも、良好なアンテナ特性を保った通信端末装置を提供できる。
【００１０】
さらに、本発明の通信端末装置は、ヒンジ部を介して折畳み可能な第１筐体および第２筐体と、この第１筐体および第２筐体にそれぞれ設けた第１アンテナおよび第２のアンテナとを備える折畳み式通信端末装置において、前記第１アンテナは、前記第１筐体の前記ヒンジ部と接する一面に沿って設け、前記第２のアンテナは、前記第１筐体と第２筐体を開いたときに前記第１アンテナと高周波的に結合する大きさを有し、前記第１筐体内に、前記第１アンテナと給電部を介して電気的に接続する無線部を備えることを特徴としている。
この構成により、第１筐体と第２筐体を折畳んだ場合は、無線部より給電された第１アンテナが動作する。一方、第１筐体と第２筐体を開いた場合は、第２ののアンテナが第１アンテナにより励振されてアンテナとして動作する。これにより、第１筐体と第２筐体を開いた場合でも折畳んだ場合でも、良好なアンテナ特性を保った通信端末装置を提供することができる。
【００１１】
さらに、本発明の通信端末装置は、ヒンジ部を介して折畳み可能な第１筐体および第２筐体と、この第１筐体および第２筐体にそれぞれ設けた第１アンテナおよび第２のアンテナとを備える折畳み式通信端末装置において、前記第１アンテナは、前記第１筐体の前記ヒンジ部と接する一面に沿って設け、前記第２のアンテナは、前記第１筐体と第２筐体を折畳んだときに前記第１アンテナと高周波的に結合する大きさを有し、前記第１筐体内に、前記第１アンテナと給電部を介して電気的に接続する無線部を備えることを特徴としている。
この構成により、第１筐体と第２筐体を開いた場合は、無線部より給電された第１アンテナが動作する。これにより、第１筐体と第２筐体を折畳んだ場合は、第２のアンテナが一方のアンテナにより励振されてアンテナとして動作する。これにより、第１筐体と第２筐体を開いた場合でも折畳んだ場合でも、良好なアンテナ特性を保った通信端末装置を提供することができる。
【発明の効果】
【００１２】
本発明によれば、ヒンジ部を介して折畳み可能な第１筐体および第２筐体と、この第１筐体と第２筐体のうちいずれか一方の筐体に設けたアンテナとを備える折畳み式通信端末装置において、前記アンテナは、いずれか一方の筐体のヒンジ部と接する一面に沿って設けるとともに、第１筐体と第２筐体のうちアンテナを具備していない筐体に導体を備え、その第１筐体と第２筐体を開いたときに前記アンテナと前記導体が高周波的に結合してアンテナとして動作し電磁波を送受信する。第１筐体と第２筐体を開いた場合は、導体がアンテナにより励振され、第１筐体と第２筐体を開いた場合でも折畳んだ場合でも、良好なアンテナ特性を有する通信端末装置を提供できる。
【発明を実施するための最良の形態】
【００１３】
以下、本発明の実施形態について、添付図面を参照しながら詳細に説明する。
［第１の実施形態］
図１および図２は、本発明の第1の実施形態に係る折畳み式通信端末装置１Ａを示すものであり、この折畳み式通信端末装置１Ａは、第１筐体である方形状の上筐体２と、第２筐体である方形状の下筐体３と、これら上、下の筐体２、３を折畳み(回転)自在に連結するヒンジ部４と、第１アンテナ５とを備えている。
【００１４】
このうち、上筐体２内部には、図３に示すように、上筐体２のほぼ全面に亙り第１のプリント基板２１を設けている。一方、下筐体３には、図２に示すように、無線部６及び給電部８を備える第２のプリント基板３１を、図３に示すように、下筐体３内部のほぼ全面に亙って設けている。この無線部６は、送受信回路で構成しており、給電部８を介して第１アンテナ５と電気的に接続している。この第１アンテナ５は、細長形状を呈しており、下筐体３のヒンジ部４を臨む上部側の端面（縁部）３Ａに沿って突出した状態で配置している。なお、この第１アンテナ５は、ヒンジ部４の内部（長手方向）に設置してもよい。
【００１５】
以上のように構成された折畳み式通信端末装置１Ａについて、その動作を説明する。
（I）上筐体２と下筐体３を折畳んだ場合：
第１アンテナ５は、図２（Ｂ）に示すように、下筐体３のヒンジ部４を臨む上部側の端面（縁部）３Ａに沿って配置されている。また、この第１アンテナ５は、下筐体３の第２のプリント基板３１（図３参照）に備えた無線部６と接続しており、上下の筐体２、３を折畳んだ状態では、第２のプリント基板３１がアンテナグランドとして動作する。なお、この上下の筐体２、３を折畳んだ状態のときには、上筐体２に備えた第１のプリント基板２１が第１アンテナ５とは近接した配置状態にないので、高周波的に結合することがない。また、第１アンテナ５とアンテナグランド（第２のプリント基板３１）とは直接対面する構造ではないので、これら双方に流れる高周波電流のベクトルどうしが相殺し合うことも回避できる。
（II）上筐体２と下筐体３を開いた場合：
一方、上、下の筐体２、３を開いた場合には、図２（Ａ）に示すように、上筐体２に具備された第１のプリント基板２１が第１アンテナ５へ近接する。このため、第１アンテナ５と第１のプリント基板２１が高周波的に結合し、第１のプリント基板２１が実質的にアンテナとして動作する。
【００１６】
なお、本実施形態では、無線部６を備えた第２のプリント基板３１を下筐体３に内蔵するとともに、無線部６が第１アンテナ５と電気的に接続されている構成について説明したが、本発明は特にこれに限らない。例えば、図４のように、折畳み式通信端末装置１Ｂにおいて、無線部６を備えた第１のプリント基板２１を上筐体２に内蔵するとともに、この無線部６が第１アンテナ５と電気的に接続された構成でも、同様の効果を得ることが可能である。
【００１７】
［第２の実施形態］
次に、本発明の第２の実施形態に係る通信端末装置について説明する。なお、本実施形態において、第１の実施形態と同一部分には、同一符号を付して重複説明を避ける。
図５および図６は、本発明の第２の実施形態に係る通信端末装置１Ｃを示すものであり、この通信端末装置１Ｃは、第１の実施形態と異なり、下筐体３のヒンジ部４を臨む上部側の端面（縁部）３Ａに沿って第１アンテナ５を突設するだけではなく、上筐体２内部に備えた第１のプリント基板２１に第２のアンテナ７を設けている。また、下筐体３内部に設けた第２のプリント基板３１には、第１の実施形態と同様に無線部６を備えており、この無線部６が第１アンテナ５と電気的に接続している。一方、第２のアンテナ７は、第１のプリント基板２１よりも大きく形成しており、具体的には、上筐体２内部のほぼ全面に亙って配置している。
【００１８】
以上のように構成された通信端末装置１Ｃについて、図６を参照しながらその動作を説明する。
(I)上筐体２と下筐体３を開いた場合：
図６（Ａ）において、第１アンテナ５は、第１の実施形態と同様に、下筐体３のヒンジ部４を臨む上部側の端面３Ａ(縁部)に沿って配置されているとともに、第２のプリント基板３１に備えた無線部６と接続されており、下筐体３に内蔵された第２のプリント基板３１がアンテナグランドとして動作する。なお、この上、下の筐体２、３を折畳んだ状態では、第１アンテナ５とアンテナグランド（第２のプリント基板３１）とは直接対面する構造ではないので、これら双方に流れる高周波電流とのベクトルが相殺されることが回避される。
(II)上筐体２と下筐体３を折畳んだ場合：
また、上、下の筐体２、３を開いた場合は、図６（Ｂ）に示すように、上筐体２に具備した第２のアンテナ７が第１アンテナ５へ近接するため、第１アンテナ５と第２のアンテナ７は高周波的に結合し、第２のアンテナ７の方が第１アンテナ５よりも放射効率が高いので、第２のアンテナ７がアンテナとして動作する。
【００１９】
なお、本実施形態では、無線部４０を具備した第２のプリント基板３１を下筐体３に内蔵するとともに、無線部４０とアンテナ３０が接続している場合について説明したが、本発明は特にこれに限定されるものではない。例えば、図７に示すように、通信端末装置１Ｄにおいて、上筐体７に設けた第１のプリント基板２１に無線部６を具備するとともに、第２のアンテナ７を下筐体３に備え、無線部６を第２のアンテナ７と接続した構成の場合でも同様の効果を得ることが可能である。
【００２０】
［第３の実施形態］
次に、本発明の第３の実施形態に係る通信端末装置について説明する。なお、本実施形態において、第１の実施形態と同一部分には、同一符号を付して重複説明を避ける。
図８および図９は、本発明の第３の実施形態に係る通信端末装置１Ｅを示すものであり、この通信端末装置１Ｅは、上筐体２の上部側の端面２Ａ（縁部）に沿って第１アンテナ５を備えるとともに、上筐体２内部に設けた第１のプリント基板２１に無線部６を備えている。なお、下筐体３内部には、第１の実施形態と同様に、第２のプリント基板３１を設けている。
【００２１】
以上のように構成された通信端末装置１Ｅについて、図９を参照しながらその動作を説明する。
(I)上筐体２と下筐体３を開いた場合：
図９（Ａ）において、第１アンテナ５は、前述したように、上筐体２内部において図示外のヒンジ部を取り付ける下部側の端面(縁部)とは反対側の端面(上部側の端面２Ａ)に沿って配置しているとともに、第１のプリント基板２１に具備した無線部６と電気的に接続しており、上筐体２に設けた第１のプリント基板２１をアンテナグランドとして動作する。
(II)上筐体２と下筐体３を折畳んだ場合：
また、上、下の筐体２、３を折畳んだ場合には、図９（Ｂ）に示すように、下筐体３に備えた第２のプリント基板３１が第１アンテナ５へ近接する。このため、第１アンテナ５は第２のプリント基板３１と高周波的に結合し、この第２のプリント基板３１がアンテナとして動作する。
【００２２】
なお、本実施形態では、上筐体２内部に第１アンテナ５を備えるとともに、上筐体２内部の第１のプリント基板２１に無線部６を備え、この無線部６が第１アンテナ５と電気的に接続している場合について説明したが、本発明は特にこれに限定するものではない。例えば、図１０に示すように、通信端末装置１Ｆの下筐体３内部に第１アンテナ５を備えるとともに、下筐体３内部の第２のプリント基板３１に無線部６を備え、無線部６が第１アンテナ５と電気的に接続した場合であっても、同様の効果を得ることが可能である。
【００２３】
［第４の実施形態］
次に、本発明の第４の実施形態に係る通信端末装置１Ｆについて説明する。なお、本実施形態において、第１〜第３の実施形態と同一部分には、同一符号を付して重複説明を避ける。
図１１および図１２は、本発明の第４の実施形態に係る通信端末装置１Ｇを示すものであり、この通信端末装置１Ｇは、上筐体２内部に設けた第１のプリント基板２１に無線部６と第１アンテナ５とを備えているとともに、下筐体３に第２のプリント基板３１と第２のアンテナ７とを内蔵している。このうち、第１アンテナ５は、第３の実施形態と同様に、上筐体２内部の上部側の端面２Ａ（縁部）に沿って細幅形状に設けている。一方、第２のアンテナ７は、第２のプリント基板３１と略同等またはそれより大きく形成して下筐体３内部の略全面に亙って配設されている。
【００２４】
以上のように構成された通信端末装置１Ｇについて、図１２を参照しながら、その動作を説明する。
(I)上筐体２と下筐体３を開いた場合：
第１アンテナ５は、図１２（Ａ）に示すように、上筐体２内部の図示外のヒンジ部を接続する一端面とは反対の他端面（上部側の端面２Ａ）に沿って細幅形状に配置している。また、第１アンテナ５は、第１のプリント基板２１に備えた無線部６と電気的に接続しており、上筐体２に内蔵した第１のプリント基板２１がアンテナグランドとして動作する。
(II)上筐体２と下筐体３を折畳んだ場合：
一方、上、下の筐体２、３を折畳んだ場合は、図１２（Ｂ）に示すように、下筐体３内部に備えた第２のアンテナ７が第１アンテナ５へ近接する。このため、第１アンテナ５は、第２のアンテナ７と高周波的に結合し、第２のアンテナ７が実質的に通信端末装置１Ｇのアンテナとして動作する。
【００２５】
なお、本実施形態では、上筐体２に無線部６と第１アンテナ５を備えた第１のプリント基板２１を内蔵するとともにその無線部６と第１アンテナ５を接続する一方、下筐体３に第２のアンテナ７を内蔵した構成について説明したが、本発明は特ににこれに限定するものではない。例えば、図１３に示すように、通信端末装置１Ｈの下筐体３に無線部６と第１アンテナ５を備えた第２のプリント基板３１を内蔵するとともに、その無線部６を第１アンテナ５と接続する一方、上筐体２に第２のアンテナ７を内蔵した構成のものであっても、同様の効果を得ることが可能である。
【００２６】
なお、本発明は、上述した実施形態に何ら限定されるものではなく、その要旨を逸脱しない範囲において種々の形態で実施し得るものである。
即ち、以上の説明では、第１アンテナ５はモノポールアンテナで構成したが、ホイップ型アンテナ、ヘリカルアンテナ、内蔵型など、他のタイプのアンテナでも同様の効果を得ることができる。また、前述の説明では一つアンテナの場合について説明したが、複数のアンテナを配置した場合でも、同様の効果を得ることができる。さらに、上記の説明では、第１アンテナ５と無線部６を同一筐体の内部に備えている場合について説明したが、第１アンテナ５と無線部６はそれぞれ異なる筐体に備えている場合についても、同様の効果を得ることができる。また、第２のアンテナ７は導体を筐体内に内蔵する構成で説明したが、筐体そのものを導体で構成した場合についても、同様の効果を得ることができる。
【産業上の利用可能性】
【００２７】
本発明は、ヒンジ部を介して折畳み可能な第１筐体および第２筐体と、この第１筐体と第２筐体のうちいずれか一方の筐体に設けたアンテナとを備える折畳み式通信端末装置において、そのアンテナは、いずれか一方の筐体のヒンジ部と接する一面の縁部に沿って設けるとともに、第１筐体と第２筐体のうちアンテナを具備していない筐体に、第１筐体と第２筐体を開いたときにそのアンテナと高周波的に結合して電磁波を送受信する導体を備える構成となっており、第１、第２筐体を開いたときでも折畳んだときでも良好なアンテナ特性を発揮することができ、携帯電話機などの小型の移動体通信端末装置などに好適である。
【図面の簡単な説明】
【００２８】
【図１】本発明の第１の実施形態における通信端末装置の斜視図であって、（Ａ）は筐体を開いた状態、（Ｂ）は折畳んだ状態を示す
【図２】本発明の第１の実施形態における通信端末装置の背面斜視図であって、（Ａ）は筐体を開いた状態、（Ｂ）は折畳んだ状態を示す
【図３】本発明の第１の実施形態における通信端末装置を開いたときの側面図を示す
【図４】本発明の第１の実施形態の変形例に係る通信端末装置の側面図であって、（Ａ）は筐体を開いた状態、（Ｂ）は折畳んだ状態を示す
【図５】本発明の第２の実施形態における通信端末装置の斜視図
【図６】本発明の第２の実施形態における通信端末装置の側面図であって、（Ａ）は筐体を開いた状態、（Ｂ）は折畳んだ状態を示す
【図７】本発明の第２の実施形態における通信端末装置の側面図であって、（Ａ）は筐体を開いた状態、（Ｂ）は折畳んだ状態を示す
【図８】本発明の第３の実施形態における通信端末装置の斜視図であって、（Ａ）は筐体を開いた状態、（Ｂ）は折畳んだ状態を示す
【図９】本発明の第３の実施形態における通信端末装置の側面図であって、（Ａ）は筐体を開いた状態、（Ｂ）は折畳んだ状態を示す
【図１０】本発明の第３の実施形態における通信端末装置の側面図であって、（Ａ）は筐体を開いた状態、（Ｂ）は折畳んだ状態を示す
【図１１】本発明の第４の実施形態における通信端末装置の斜視図であって、（Ａ）は筐体を開いた状態、（Ｂ）は折畳んだ状態を示す
【図１２】本発明の第４の実施形態における通信端末装置の側面図であって、（Ａ）は筐体を開いた状態、（Ｂ）は折畳んだ状態を示す
【図１３】本発明の第４の実施形態における通信端末装置の斜視図であって、（Ａ）は筐体を開いた状態、（Ｂ）は折畳んだ状態を示す
【図１４】従来の通信端末装置の斜視図であって、（Ａ）は上筐体にアンテナを設けたタイプ、（Ｂ）は下筐体にアンテナを設けたタイプを示す
【図１５】従来の他の通信端末装置の斜視図
【符号の説明】
【００２９】
１Ａ〜１Ｈ  通信端末装置
２  上筐体（第１筐体）
２Ａ  上部側の端面(ヒンジ部と接する一面)
２１  第１のプリント基板（導体またはアンテナグランド）
３  下筐体（第２筐体）
３Ａ  上部側の端面(ヒンジ部と接する一面)
３１  第２のプリント基板（導体またはアンテナグランド）
４  ヒンジ部
５  第１アンテナ
６  無線部
７  第２のアンテナ
８  給電部
【図１】
2006054566.tif 000003
【図２】
2006054566.tif 000004
【図３】
2006054566.tif 000005
【図４】
2006054566.tif 000006
【図５】
2006054566.tif 000007
【図６】
2006054566.tif 000008
【図７】
2006054566.tif 000009
【図８】
2006054566.tif 000010
【図９】
2006054566.tif 000011
【図１０】
2006054566.tif 000012
【図１１】
2006054566.tif 000013
【図１２】
2006054566.tif 000014
【図１３】
2006054566.tif 000015
【図１４】
2006054566.tif 000016
【図１５】
2006054566.tif 000017